(57)【要約】【課題】糸の引き出し時や引き出し後の使用時には、糸の引き戻しテンションが全くなく安心して操作でき、プッシュ式の操作部を押すだけで簡単に且つ迅速に糸を巻き取ることができる糸巻器をコンパクトな構造で提供する。【解決手段】フレームＡ内に回動可能に装着された糸巻用の回転ドラム１と、回転ドラム１に巻かれた糸２を取り出す糸取出口３と、前記回転ドラム１を糸巻取方向に回動する操作部６と、この操作部の押し動作を増速して回転ドラム１を高速回転する動力伝達機構Ｂとからなり、前記操作部６の非動作時に操作部６と回転ドラム１との動力伝達が解除されるように形成されている。更に、前記回転ドラム１が糸取り出し方向に回動するときは該回転ドラム１を軽く制動する制動手段Ｃが設けられている構造。【選択図】        図２
2004217318.tif 000002
【特許請求の範囲】
【請求項１】
フレーム（Ａ）内に回動可能に装着された糸巻用の回転ドラム（１）と、フレーム（Ａ）の先端に形成されて回転ドラム（１）に巻かれた糸（２）を取り出す糸取出口（３）と、この糸取出口（３）に着脱自在に装着され且つ前記糸（２）の端部が接続された糸止め（４）と、前記回転ドラム（１）を糸巻き取り方向に回動するプッシュ式操作部（６）と、この操作部（６）の押し動作を増速して回転ドラム（１）を高速回転させる動力伝達機構（Ｂ）とからなり、前記操作部（６）に押圧力が負荷されていない時は操作部（６）と回転ドラム（１）との動力伝達が解除されて回転ドラム（１）が糸取り出し方向に回動できるように形成されており、前記回転ドラム（１）が糸取り出し方向に回動するときは該回転ドラム（１）を軽く制動し、逆に糸巻き取り方向に回動するときは制動が解除される制動手段（Ｃ）が設けられている糸巻器。
【請求項２】
フレーム（Ａ）内に回動可能に装着された糸巻用の回転ドラム（１）と、フレーム（Ａ）の先端に形成されて回転ドラム（１）に巻かれた糸（２）を取り出す糸取出口（３）と、この糸取出口（３）に着脱自在に装着され且つ前記糸（２）の端部が接続された糸止め（４）と、前記回転ドラム（１）を糸巻き取り方向に回動するプッシュ式操作部（６）と、この操作部（６）の押し動作を増速して回転ドラム（１）を高速回転させる動力伝達機構（Ｂ）とからなり、前記操作部（６）に押圧力が負荷されていない時は操作部（６）と回転ドラム（１）との動力伝達が解除されて回転ドラム（１）が糸取り出し方向に回動できるように形成されており、前記回転ドラム（１）が糸取り出し方向に回動するときは該回転ドラム（１）を軽く制動し、逆に糸巻き取り方向に回動するときは制動が解除される制動手段（Ｃ）が設けられ、前記回転ドラム（１）の内側に隔壁（１ａ）を隔ててタンク収納部（１ｂ）が設けられ、このタンク収納部（１ｂ）に回転ドラム（１）と一体的に回動するように墨タンク（５）が着脱自在に収納され、回転ドラム（１）に巻かれた糸（２）に、該墨タンク（５）の開口部（５ａ）から墨（７）が浸潤するように小さな穴（１ｃ）が回転ドラム（１）の隔壁（１ａ）に形成されている糸巻器。
【発明の詳細な説明】
【０００１】
【発明が属する技術分野】
本発明は、建築工事や土木工事において水準線や基準線を決めるのに使用される水糸即ち基準線測定用に使用する糸や大工が柱材や板材に墨付けを行うときに使用される墨糸等を巻く糸巻器に関するものである。
【０００２】
【従来の技術】
従来から水糸や墨糸用の糸巻器としては、ハンドルで回して糸を巻き取るものや、ロックを外すことによってバネで巻き取りリールが回転してバネの復元力で糸を巻き取るもの等が知られている。
【０００３】
【発明が解決しようとする課題】
しかし、上記のハンドルで糸を巻き取る方式のものは、巻き取り操作に手間が掛かり、且つハンドル等の付属部材が外部に突出することによって、大型化して携帯用としての使用には不便であるといった課題があった。また、後者のバネの復元力による巻き取り方式のものでは、糸を引き出すときにバネの弾力に抗して引き出さなければならないから、引き出し操作に抵抗があると共に糸にかかる引っ張り応力によって糸寿命の劣化が早く、しかも、糸先端の糸止めの針を目的箇所に突き刺して糸を引きだしたときに、誤って糸止めが外れたり、不用意に且つ一気に糸止めが引き戻されて、針で怪我をするといった弊害があった。
【０００４】
そこで本発明は、糸引き出し時や引き出して使用しているときは糸の引き戻しテンションが全くなく安心して操作ができ、しかもプッシュ式の操作部を押すだけで簡単に且つ迅速に糸を巻き取ることができる糸巻器をコンパクトな構造で提供することを主たる目的とするものである。
【０００５】
また、本発明は、水糸用即ち基準線測定用の糸巻器に簡単な部材を付加することにより、糸に墨を浸潤転移させた状態で引き出すことができるようにし、これにより大工が柱材や板材に直線を描くための墨打器としても使用することができる糸巻器を提供するにある。
【０００６】
【課題を解決するための手段】
上記目的を達成するために本発明では次のような技術的手段を講じた。即ち本発明に係る糸巻器にあっては、フレームＡ内に回動可能に装着された糸巻用の回転ドラム１と、フレームＡの先端に形成されて回転ドラム１に巻かれた糸２を取り出す糸取出口３と、前記回転ドラム１を糸巻き取り方向に回動するプッシュ式操作部６と、この操作部６の押し動作を増速して回転ドラム１を高速回転させる動力伝達機構Ｂとからなり、前記操作部６に押圧力が負荷されていない時は操作部６と回転ドラム１との動力伝達が解除されて回転ドラム１が糸取り出し方向に回動できるように形成されており、前記回転ドラム１が糸取り出し方向に回動するときは該回転ドラム１を軽く制動し、逆の糸巻き取り方向に回動するときはこの制動が解除される制動手段Ｃが設けられている構造とした。これにより操作部６をプッシュするだけで糸２を迅速に巻き取ることができると共に、前記制動手段Ｃによって、回転ドラム１が糸取り出し方向に回動するときに回転ドラム１が軽く制動されるので、糸を所定の長さまで引きだして停止したときに、回転ドラムが慣性で余計に回転して糸がダブることを未然に防止することができ、逆に糸２を巻き取るときは制動が完全に解除されて回転ドラム１を軽く迅速に回動させることができる。
【０００７】
また、本発明では第２の構成として上記構成に加え、前記回転ドラム１の内側に隔壁１ａを隔ててタンク収納部１ｂが設けられ、このタンク収納部１ｂに回転ドラム１と一体的に回動するように墨タンク５が着脱自在に収納され、回転ドラム１に巻かれた糸２に、該墨タンク５の開口部５ａから墨７が浸潤するように小さな穴１ｃが回転ドラム１の隔壁１ａに形成されている構造も特徴とする。これにより、糸を引きだしたときに墨タンク５から吸引された墨が糸に浸潤転移しせた状態で引き出されるので、柱材や板材に直線を描くための墨打器として使用することができる。
【０００８】
また、回転ドラム１の回転をロック並びにロック解除するロックレバー８を、フレームＡの外部から操作できるように設けるのが好ましい。これにより糸を所定の長さまで引きだして使用したり、或いは不使用時に回転ドラム１が自由回転して糸が弛むのを未然に防止することができる。
【０００９】
【発明の実施の形態】
以下本発明の第１実施例について、図面に基づいて説明する。該実施例に示した糸巻器は、水糸用の糸巻器、即ち基準線測定用糸巻器に関する実施例を示したものである。図中、符号Ａはフレームであって、図１，２にみられるように、この内部に糸２を巻き付けた回転ドラム１が回動できるように、且つ好ましくは着脱できるように装着されている。また、前記フレームＡの先端には回転ドラム１に巻かれた糸２を取り出す糸取出口３が設けられ、この糸取出口３に糸２の先端を連結した糸止め４が着脱自在に装着されている。該糸止め４は針４ａを備えている。
【００１０】
更に、前記回転ドラム１を糸巻き取り方向に回動するプッシュ式操作部６と、この操作部６の押し動作を増速して回転ドラム１を糸巻き取り方向に高速回転させる動力伝達機構Ｂとが設けられている。前記操作部６は復帰スプリング９によって常時押し上げ方向に付勢されている。また前記動力伝達機構Ｂは下記のように形成されている。即ち、操作部６に形成されたラック６ａが第１の小歯車１０と噛合い、該小歯車１０と同軸で一体回動する第１の大歯車１１が第２の小歯車１２と係合、離反可能な状態で噛合い、この小歯車１２と同軸で一体回動する第２の大歯車１３が回転ドラム１と同軸で一体回動する第３の小歯車１４に噛合っている。また前記第１の小歯車１０並びに大歯車１１の共通の軸１５が上下方向に延びる長孔１６にスライド可能に装着されており、この長孔１６に沿って軸１５が上下することにより第１の大歯車１１が第２の小歯車１２に噛合ったり、遊離したりするように形成されている。従って、図１の状態から操作部６を下方に押し下げると、第１の大歯車１１が第２の小歯車１２に噛合うと同時に歯車群が回動して回転ドラム１を糸巻き取り方向に高速回転させることができ、逆に、操作部６に押圧力が負荷されていない時は復帰スプリング９によって操作部６が第１の小歯車１０並びに大歯車１１と共に上動して、第１の大歯車１１と第２の小歯車１２との噛合いが外れる。
【００１１】
また、前記したように操作部６と回転ドラム１との動力伝達が解除された状態で回転ドラム１が糸取り出し方向に回動するときに、該回転ドラム１を軽く制動し、逆に、操作部６を動作して回転ドラム１を糸巻き取り方向に回動するときに制動が解除される制動手段Ｃが設けられている。この制動手段Ｃは本実施例では下記のように形成されている。即ち、周面が連続した波形で形成されたディスク１７が回転ドラム１と同軸的に一体回動するように取り付けられており、このディスク１７の波形周面に弾性金属線材で形成されたブレーキシュー１８が弾接されている。このブレーキシュー１８による制動力は、糸２を引き出すときに回転ドラム１が回転できる程度に設定されている。更に、このブレーキシュー１８の一端が図５に示すようにフレームＡに設けられた長孔１９に遊嵌されており、このブレーキシュー１８の端部に前記復帰スプリング９の下端が受け止められている。この場合、復帰スプリング９の弾力よりブレーキシュー１８の弾力が優ってブレーキシュー１８が長孔１９の上部に位置するように設定されており、これにより操作部６を操作しないときはブレーキシュー１８が制動位置にあり、操作部６を押し下げたときにブレーキシュー１８がディスク１７から離れて非制動位置になるように形成されている。
【００１２】
更に、回転ドラム１の回転をロック並びにロック解除するロックレバー８がフレームＡに設けられている。このロックレバー８はロック時に爪先端８ａが回転ドラム１と一体回動するディスク１７の波形周面に係合し、ロックレバー８を図１の仮想線に示すように押動して爪先端８ａを波形周面から遊離させることによってロック解除できるように形成されてる。
【００１３】
また、前記フレームＡの糸取出口３の周辺に外方向に向かって突出する一対の止め針２０が設けられている。この止め針２０は、図１に示すように、糸止め４を糸取出口３に装着したときに止め針２０が糸取出口３の側面に沿って配置され、且つその先端が糸止め４の段部４ｂによってカバーされるように形成されている。これにより非使用時に止め針２０の先端が露出することが防止されている。
【００１４】
前記回転ドラム１の交換や内部メンテナンスの際に、図３のように枢軸２１を支点として開閉することのできる蓋２２がフレームＡに設けられている。
【００１５】
上記の如く構成された基準線測定用糸巻器は、糸止め４を目的箇所に固定し、フレームＡを移動させて糸２を所望長さまで引き出し、フレームＡを止め針２０で固定して使用する。勿論、フレームＡを固定しないで使用することもできる。この糸２を引き出す際に、回転ドラム１が制動手段Ｃによって軽く制動されているので、糸引き出し操作を停止したときに回転ドラム１が慣性で回転することなく停止し、これにより糸がダブつくことを確実に防止することができる。
【００１６】
糸２を巻き取るときは、ロックレバー８を解除した状態で、操作部６を押し下げると、第１の大歯車１１が第２の小歯車１２に噛合うと同時に歯車群が回動し、同時に、ブレーキシュー１８がディスク１７から離れて制動が解除され、回転ドラム１が糸巻き取り方向に軽く高速回転して迅速に糸２を巻き取ることができる。このとき、操作部６の押し操作を加減して糸の巻き取り具合を加減しながら引き戻すことにより、糸止めが一気に手元に引き寄せられることが防止でき、針４ａによって怪我することを防ぐことができる。
【００１７】
図６及び図７は、上記した基準線測定用糸巻器の構成に加えて、簡単な部材を付加することにより大工が柱材や板材に直線を描くための墨打器として使用することができるようにした実施例を示すものである。
【００１８】
本実施例では、前記回転ドラム１の隔壁１ａを隔てた内部が墨タンク５を収納するタンク収納部１ｂとして利用され、このタンク収納部１ｂに回転ドラム１と一体的に回動する墨タンク５が着脱自在に収納されている。この墨タンク５から回転ドラム１に巻かれた糸２に、毛細管現象による吸引力と回転時の遠心力とによって、墨タンク５の開口部５ａとタンク内の墨７が回転ドラム１の隔壁１ａに形成された小さな穴１ｃとを介して浸潤転移するようにされている。本実施例では、墨の糸への転移が効果的に行われるように、図７のように墨タンク５と回転ドラム１の隔壁１ａとの間にスポンジやフエルト、不織布若しくはこれらの混合材料で形成された適当な厚みの墨含浸材２３を介在させてある。また、墨タンク５内の墨７も液体のみに限らず、液体をスポンジやフエルト、不織布若しくはこれらの混合材料で形成された墨含浸材に含浸させるようにしてもよい。
【００１９】
従って本実施例では、糸２を引きだしたときに墨タンク５からの墨が糸に浸潤転移された状態で引き出されるので、柱材や板材に直線を描くための墨打器として使用することができる。特にこの場合、従来の墨壺のような墨肉に対する摩擦が全く存在しないので、糸の損傷を防止することができるとともに、墨タンクや回転ドラムがフレーム内に隠されているため、乾燥や雨に強く且つ墨漏れが無く、しかも墨が糸に浸潤転移した状態で引き出されるため、横向きや傾斜面で使用しても水平面での使用と変わらない線引きを行うことができる。
【００２０】
以上本発明の代表的な実施例について説明したが、本発明は必ずしも上記の実施例構造のみに特定されるものではない。例えば、フレームＡに設けた止め針２０を省略することも可能である。また墨打器として使用する場合に、図７に示したように、回転ドラム１の回転遠心力によって飛散する墨を吸収するための吸湿カバー２４を設けるのがよい。このような飛散墨を吸収し外部への滲み出しを防止する手段を設けておくと、使用時並びに道具箱等への保管時に他の物への汚損を防止し、常に美麗な状態で使用できる利点がある。その他本発明ではその構成要件を備え、且つ効果を有する範囲内で適宜変更して実施できることは勿論である。
【００２１】
【発明の効果】
本発明の糸巻器は上記の如く構成したものであるから、糸引き出し時や引き出して使用しているときに糸の引き戻しテンションが全くなく、安心して使用できると共に、糸にかかる引っ張り応力を軽減して糸の劣化を未然に防止でき、加えて操作部をプッシュするだけで動力伝達機構により押し下げ運動が増速して、回転ドラムの糸巻き取り方向の回転力として伝達されて、糸を迅速に巻き取ることができ、しかも操作部の押し操作を加減することにより、糸の巻き取り速度を加減しながら引き戻すことができるので、糸止めが一気に手元に引き寄せられることによる針の危険性を防止することができる。更には、回転ドラムが糸取り出し方向に回動するときには、制動手段によって軽く制動されるので、糸を所定の長さまで引きだして停止したときに、回転ドラムが慣性で余計に回転して糸がダブることを未然に防止することができ、逆に、糸巻き取り方向に回動するときに制動が解除されて回転ドラムを軽く回動させることができる。更に加えて、回転ドラムや動力伝達機構等の部材は、フレーム内に収納されているので外観がスマートでコンパクトに形成できるといった種々顕著な効果がある。
【００２２】
また請求項２に記載の構成によれば、上記した効果に加え、糸を引き出したときに墨タンクから吸引された墨が、糸に浸潤転移した状態で引き出されるので、柱材や板材に直線を描くための墨打器として便利に使用することができ、特にこの場合、従来の墨壺のような墨肉に対する摩擦が全く存在しないので、糸の損傷を防止することができるとともに、墨タンクや回転ドラムがフレーム内に隠されているため乾燥や雨に強く且つ墨漏れが無く、しかも墨が糸に浸潤転移した状態で引き出されるため横向きや傾斜面で使用しても水平面での使用と変わらない線引きができるといった顕著な効果がある。
【図面の簡単な説明】
【図１】本発明に係る糸巻器の一実施例を示す縦断面図で、操作部が押されていない状態を示す。
【図２】図１同様の縦断面図で、操作部を押した状態を示す。
【図３】上記糸巻器の横断面図。
【図４】上記糸巻器の平面図。
【図５】上記糸巻器における制動手段部分の要部の拡大断面図。
【図６】本発明に係る糸巻器の別実施例を示す図１相当の縦断面図。
【図７】同別実施例を示す図３相当の横断面図。
【符号の説明】
Ａ  フレーム
Ｂ  動力伝達機構
Ｃ  制動手段
１  回転ドラム
１ａ  隔壁
１ｂ  タンク収納部
１ｃ  穴
２  糸
３  糸取出口
４  糸止め
５  墨タンク
５ａ  開口部
６  操作部
７  墨
８  ロックレバー
【図１】
2004217318.tif 000003
【図２】
2004217318.tif 000004
【図３】
2004217318.tif 000005
【図４】
2004217318.tif 000006
【図５】
2004217318.tif 000007
【図６】
2004217318.tif 000008
【図７】
2004217318.tif 000009